(57)【特許請求の範囲】
【請求項１】
両端部にそれぞれ電線が挿入された状態で圧縮することによって２本の電線を電気的に接続するスリーブに取り付けられる電線挿入補助具であって、
前記スリーブが挿入される円筒部と、
当該円筒部の端部から径が広がるように延びる筒状の円錐部とを備え、
前記円筒部は、前記スリーブにおける圧縮箇所の指標を表示する表示部を有することを特徴とする電線挿入補助具。
【請求項２】
前記円筒部と前記円錐部との境界部分に、前記スリーブの端面が当接するストッパが設けられていることを特徴とする請求項１記載の電線挿入補助具。
【請求項３】
前記表示部は、前記円筒部の表面に前記指標を形成してなることを特徴とする請求項１又は２記載の電線挿入補助具。
【請求項４】
２本の電線における一方の電線をスリーブの一端側から挿入する工程と、
当該スリーブの他端側から、請求項１乃至４のいずれか１項記載の電線挿入補助具を挿入する工程と、
間接活線作業によって、他方の電線を前記円錐部を介して前記スリーブの他端側から挿入する工程と、
間接活線作業によって、前記スリーブとともに前記円筒部を圧縮する工程とを備えることを特徴とする電線接続方法。
【発明の詳細な説明】
【技術分野】
【０００１】
本発明は、圧縮スリーブを用いて２本の電線を接続する際に、電線の圧縮スリーブへの挿入を補助する電線挿入補助具、及びこの電線挿入補助具を用いた電線接続方法に関する。
【背景技術】
【０００２】
従来より、２本の電線を接続する作業においては圧縮スリーブが用いられている。例えば、高圧引下線の縁線接続作業において、まず、停電側縁線に圧縮スリーブを挿入して、圧縮スリーブが挿入された部分を手で圧縮する。次に、間接活線作業によって活線側縁線の被覆を剥ぎ取り、間接活線工具を使用して圧縮スリーブに電源側の縁線を挿入し、間接活線用の圧縮工具によって圧縮する。これにより、停電側縁線と活線側縁線とが接続される。
【０００３】
しかし、圧縮スリーブの電線の挿入口は電線を挿入するには小さく、しかも電線挿入作業は、間接活線作業であるため手元から離れて場所での作業となる。このため、圧縮スリーブへの電線挿入は、比較的細かく難しい作業となっている。そこで、従来、特許文献１に記載されている技術のように、圧縮スリーブに嵌挿する取付部と、この取付部からラッパ状に開口した案内部とからなる圧縮スリーブ用導体案内具が提案されている。
【先行技術文献】
【特許文献】
【０００４】
【特許文献１】特開平８−３３９８４１号公報
【発明の概要】
【発明が解決しようとする課題】
【０００５】
ところで、圧縮スリーブには、表面に等間隔に圧縮できるように圧縮箇所を示す指標が刻印あるいは塗料によって形成されているものがある。ここで、特許文献１に記載の案内具を圧縮スリーブに取り付けた場合、圧縮箇所を示す指標が案内具によって隠されてしまう。このため、案内具を介して圧縮スリーブに電線を挿入した後、圧縮スリーブから案内具を外す必要があり、この分、接続作業に手間が掛かる。
【０００６】
本発明は、このような問題点を解決し、スリーブへの電線の挿入及び圧縮を効率よく行うことを実現する電線挿入補助具及び電線接続方法を提供することを目的とする。
【課題を解決するための手段】
【０００７】
前記目的を達成するため、本発明は、次に記載する構成を備えている。
【０００８】
（１）  両端部にそれぞれ電線が挿入された状態で圧縮することによって２本の電線を電気的に接続するスリーブに取り付けられる電線挿入補助具であって、前記スリーブが挿入される円筒部と、当該円筒部の端部から径が広がるように延びる筒状の円錐部とを備え、前記円筒部は、前記スリーブにおける圧縮箇所の指標を表示する表示部を有することを特徴とする電線挿入補助具。
【０００９】
（１）によれば、スリーブが円筒部に挿入され、円錐部内に電線が挿入されることにより、電線が円錐部によってスリーブの挿入口に案内される。このため、電線をスリーブの挿入口に容易に挿入することが可能になる。また、スリーブが円筒部に挿入された状態において、表示部を視認することによって圧縮箇所を容易に把握することができる。このため、円筒部上から圧力を加えて円筒部とスリーブとを同時に圧縮することにより、スリーブを正確に圧縮することが可能になり、圧縮作業を円滑に行うことが可能になる。このように、スリーブへの電線の挿入及び圧縮を効率よく行うことが可能になる。
【００１０】
（２）  （１）において、前記円筒部と前記円錐部との境界部分に、前記スリーブの端面が当接するストッパが設けられていることを特徴とする電線挿入補助具。
【００１１】
（２）によれば、円錐部の内側にスリーブの端部が突出して、電線がスリーブの挿入口に入りにくくなることを防止することが可能になる。
【００１２】
（３）  （１）又は（２）において、前記表示部は、前記円筒部の表面に前記指標を形成してなることを特徴とする電線挿入補助具。
【００１４】
（３）によれば、圧縮箇所を作業員に確実に認識させることが可能になる。
【００１５】
（４）  ２本の電線における一方の電線をスリーブの一端側から挿入する工程と、当該スリーブの他端側から、請求項１乃至４のいずれか１項記載の電線挿入補助具を挿入する工程と、間接活線作業によって、他方の電線を前記円錐部を介して前記スリーブの他端側から挿入する工程と、間接活線作業によって、前記スリーブとともに前記円筒部を圧縮する工程とを備えることを特徴とする電線接続方法。
【００１６】
（４）によれば、（１）の電線挿入補助具と同様な作用効果を奏する。
【発明の効果】
【００１７】
本発明によれば、スリーブへの電線の挿入及び圧縮を効率よく行うことが可能になる。
【図面の簡単な説明】
【００１８】
【図１】本発明の第１実施形態における電線挿入補助具１の構成及びその周辺部材の構成を示す分解斜視図である。
【図２】本発明の第１実施形態における電線挿入補助具１の内部構造を示す断面図である。
【図３】２本の電線６０を接続する工程を示す説明図である。
【図４】本発明の第２実施形態における電線挿入補助具１の構成及びその周辺部材の構成を示す分解斜視図である。
【図５】本発明の第２実施形態における電線挿入補助具１を圧縮スリーブ５０に取り付けた状態を示す側面図である。
【図６】本発明の第１実施形態における電線挿入補助具１の変形例を示す斜視図である。
【発明を実施するための形態】
【００１９】
以下、本発明の実施形態について、図面を参照しながら詳細に説明する。
［第１実施形態］
図１は、本発明の第１実施形態における電線挿入補助具１の構成及びその周辺部材の構成を示す分解斜視図である。電線挿入補助具１は、圧縮スリーブ５０に取り付けられ、圧縮スリーブ５０の挿入口５０ａに電線６０の芯線６０ａを挿入する作業を補助するものであり、円筒部１０と、円錐部１２とから構成されている。
【００２０】
円筒部１０は、内径が圧縮スリーブ５０の外径よりも若干大きく設定されており、内部に圧縮スリーブ５０が挿入自在に形成されている。また、円筒部１０の表面には複数の指標２０が等間隔に形成されている。指標２０は、円筒部１０の表面に刻印あるいは塗料によってリング状に形成されている。これらの指標２０は、詳細については後述するが、圧縮スリーブ５０の圧縮箇所に対応している。
【００２１】
円錐部１２は、円筒部１０の片方の端部から径が広がるように円錐型に形成されている。円筒部１０及び円錐部１２は、同一の部材からなり、例えば、プラスチック、シリコンゴム、圧縮スリーブ５０と同じ材料等、圧縮作業において変形する素材によって構成されている。
【００２２】
図２は、本発明の第１実施形態における電線挿入補助具１の内部構造を示す断面図である。図２に示すように、電線挿入補助具１の内部における円筒部１０と円錐部１２との境界部分に、段差１４が形成されている。この段差１４は、円錐部１２の基端部が電線挿入補助具１の中心軸側に突出していることによって形成される。そして、段差１４は、圧縮スリーブ５０が円筒部１０の内部に挿入された場合に、圧縮スリーブ５０の端部が段差１４に当接することによって、圧縮スリーブ５０の端部が円錐部１２の内側から突出しないようにするストッパとして機能する。このように、圧縮スリーブ５０が円筒部１０の内部に挿入され、圧縮スリーブ５０の端部が段差１４に当接することによって、電線挿入補助具１が圧縮スリーブ５０に取り付けられる。
【００２３】
また、図１において、圧縮スリーブ５０は、銅製の円筒状の部材であり、圧縮スリーブ５０の両端部には挿入口５０ａが形成されている。また、円筒部１０の表面には、複数の指標５２が等間隔に形成されている。これらの指標５２は、圧縮スリーブ５０の表面に刻印あるいは塗料によってリング状に形成されており、圧縮スリーブ５０の圧縮箇所を示している。
【００２４】
そして、電線挿入補助具１が圧縮スリーブ５０に取り付けられた場合、電線挿入補助具１に形成された指標２０の位置が、電線挿入補助具１によって覆われた圧縮スリーブ５０の領域に形成された指標５２の位置に一致する。なお、指標２０は、作業員が視認し易い態様であることが望ましい。このように、円筒部１０は、圧縮スリーブ５０における圧縮箇所の指標を表示する表示部を有している。
【００２５】
また、電線６０は、導電性を有する芯線６０ａと、芯線６０ａを被覆する絶縁性を有する被覆部材６０ｂとからなる。２本の電線６０を接続する場合には、圧縮スリーブ５０の両端部に電線６０の芯線６０ａが挿入される。そして、圧縮スリーブ５０が間接活線用の圧縮工具によって圧縮されることにより、２本の電線６０が接続される。
【００２６】
次に、図３を参照しながら、２本の電線６０を接続する工程について説明する。なお、２本の電線６０において、一方は停電側の電線であり、他方は活線側の電線であるものとする。
【００２７】
まず、作業員は、停電側の電線６０の端部の被覆部材６０ｂの一部を剥ぎ取り、芯線６０ａを所定の長さ分露出させる。次に、作業員は、図３（ａ）に示すように、芯線６０ａを圧縮スリーブ５０の一方の挿入口５０ａから挿入する。この際、圧縮スリーブ５０における一方の挿入口５０ａ付近を手で圧縮して芯線６０ａに圧縮スリーブ５０を仮固定してもよい。
【００２８】
次に、作業員は、圧縮スリーブ５０の他方の挿入口５０ａ側から、図３（ｂ）に示すように、圧縮スリーブ５０に電線挿入補助具１を取り付ける。次に、作業員は、図３（ｃ）に示すように、活線側の電線６０の端部の被覆部材６０ｂを間接活線工具を用いて一部剥ぎ取り、芯線６０ａを所定の長さ分露出させる。
【００２９】
次に、作業員は、図３（ｄ）に示すように、活線側の電線６０の芯線６０ａを、円錐部１２内に挿入する。この工程において、円錐部１２内に挿入された芯線６０ａは、円錐部１２の中心へと案内されて、圧縮スリーブ５０における他方の挿入口５０ａに挿入される。
【００３０】
次に、作業員は、図３（ｅ）に示すように、指標２０の表示箇所及び指標５２の表示箇所を、間接活線用の圧縮工具を用いてつぶすように圧縮する。これにより、２本の電線６０が接続される。
【００３１】
そして、最後に、電線挿入補助具１、圧縮スリーブ５０及びその周辺を覆うように絶縁カバー（図示せず）を取り付けることにより、２本の電線６０の接続作業が終了する。
【００３２】
以上、説明したように構成された第１実施形態によれば、圧縮スリーブ５０が円筒部１０に挿入され、円錐部１２内に電線６０の芯線６０ａが挿入されることにより、電線６０の芯線６０ａが円錐部１２によって圧縮スリーブ５０の挿入口５０ａに案内される。このため、電線６０の芯線６０ａを圧縮スリーブ５０の挿入口５０ａに容易に挿入することが可能になる。また、圧縮スリーブ５０が円筒部１０に挿入された状態において、円筒部１０の指標２０を視認することによって、円筒部１０で覆われている圧縮スリーブ５０における圧縮箇所を容易に把握することができる。このため、円筒部１０上から圧力を加えて円筒部１０と圧縮スリーブ５０とを同時に圧縮することにより、圧縮スリーブ５０を正確に圧縮することが可能になり、圧縮作業を円滑に行うことが可能になる。このように、圧縮スリーブ５０への電線の挿入及び圧縮を効率よく行うことが可能になる。
【００３３】
また、第１実施形態によれば、円筒部１０と円錐部１２との境界部分に形成した段差１４が、圧縮スリーブ５０の端面が当接するストッパとして機能するため、圧縮スリーブ５０の端部が円錐部１２の内側から突出して、電線６０の芯線６０ａが挿入口５０ａに移動することの妨げとなることを防止することが可能になる。更に、圧縮スリーブ５０に対する円錐部１２の位置が規定されるため、電線挿入補助具１を圧縮スリーブ５０に取り付けた場合に、圧縮スリーブ５０の指標５２上に円筒部１０の指標２０を容易に位置付けることが可能になる。
【００３４】
［第２実施形態］
図４は、本発明の第２実施形態における電線挿入補助具１の構成及びその周辺部材の構成を示す分解斜視図である。第２実施形態における電線挿入補助具１は、図１に示す第１実施形態における円筒部１０及び円錐部１２を透明部材によって形成する。なお、第２実施形態における円筒部１０には、指標２０が形成されていない。
【００３５】
このように構成したことにより、図５に示すように、圧縮スリーブ５０に電線挿入補助具１を取り付けた場合に、圧縮スリーブ５０表面に形成されている指標５２が円筒部１０越しに表示されて視認可能になる。このため、正確な圧縮箇所を作業員に認識させることが可能になる。
【００３６】
以上、本発明の実施形態について説明したが、本発明の実施形態は上述した実施形態に限るものではない。例えば、図６に示すように、電線挿入補助具１の一部に、中心軸方向に沿った切込１６を形成してもよい。これにより、圧縮作業を行った後に、間接活線工具を用いて電線挿入補助具１を引っ張ることによって、圧縮スリーブ５０から電線挿入補助具１を取り外すことが可能になる。特に、電線挿入補助具１がシリコンゴムのような弾性変形可能な部材によって構成されている場合には、取り外した電線挿入補助具１を再利用することが可能になり、しかも、円筒部１０の内径より若干大きい外径の圧縮スリーブ５０にも取り付けることが可能になる。
【００３７】
また、上述した実施形態においては、円筒部１０と円錐部１２が一体に構成されているが、円筒部１０と円錐部１２とを別々に構成して連結させてもよい。この場合、円筒部１０のみを透明部材としてもよく、また、円筒部１０は弾性変形可能な部材によって構成し、円錐部１２は硬質の部材とすることも可能である。
【符号の説明】
【００３８】
１  電線挿入補助具
１０  円筒部
１２  円錐部
１４  段差
１６  切込
２０  指標
５０  圧縮スリーブ
５０ａ  挿入口
５２  指標
６０  電線
６０ａ  芯線
６０ｂ  被覆部材
【要約】
【課題】スリーブへの電線の挿入及び圧縮を効率よく行うことを可能にして電線挿入補助具を提供する。
【解決手段】両端部にそれぞれ電線６０が挿入された状態で圧縮することによって２本の電線６０を電気的に接続する圧縮スリーブ５０に取り付けられる電線挿入補助具１であって、圧縮スリーブ５０が挿入される円筒部１０と、円筒部１０の端部から径が広がるように延びる筒状の円錐部１２とを備え、円筒部１０は、圧縮スリーブ５０における圧縮箇所を表示する指標２０を有する。
【選択図】図１【図１】
0005579897.tif 000002
【図２】
0005579897.tif 000003
【図３】
0005579897.tif 000004
【図４】
0005579897.tif 000005
【図５】
0005579897.tif 000006
【図６】
0005579897.tif 000007